【手続補正書】
【提出日】平成16年2月6日(2004.2.6)
【手続補正１】
【補正対象書類名】特許請求の範囲
【補正対象項目名】全文
【補正方法】変更
【補正の内容】
【特許請求の範囲】
【請求項１】
下記を具備する、データレートを有するバイナリデータストリームから記号を回復する方法：
所定のオーバーサンプルされたバイナリデータストリームをオーバーサンプリングし、オーバーサンプルされた信号を発生する；
前記オーバーサンプルされたバイナリデータストリームを周知の同期ワードと相関させ、相関出力を作る；
前記相関出力を線形フィルタのインパルス応答で畳込み、畳込み信号を発生する；
サーチャー窓の期間、前記畳込み信号内のピークをサーチする、前記サーチャー窓は前記畳込み出力がしきい値に到達すると開始する；および
同期ワードのタイミング整合を識別する、前記サーチャー窓の期間に前記畳込み信号内に単一のピークを発見したなら、前記単一ピークは前記タイミング整合を識別するために使用され、前記サーチャー窓の期間、前記畳込み信号内に複数のピークを発見したなら、前記複数のピークの最初の最大ピークと、前記複数のピークの最後の最大ピークとの間の時間が平均され、前記タイミング整合を識別する。
【請求項２】
前記所定のオーバーサンプルは前記データレートの１２倍である、請求項１の方法。
【請求項３】
前記同期ワードに応答してそれに続く記号回復を整合するステップをさらに具備する、請求項１の方法。
【請求項４】
前記線形フィルタは移動平均窓である、請求項１の方法。
【請求項５】
無線周波数部分を有する受信器のベースバンド部分において、下記を具備する、所定データレートを有するバイナリデータストリームから記号を回復する方法：
前記バイナリデータストリームを所定のオーバーサンプルレートでオーバーサンプリングし、オーバーサンプルされた信号を発生する；
周知の同期ワードで前記オーバーサンプルされたバイナリデータストリームを相関し、相関信号を発生する；
移動平均窓を構築する；
前記移動平均窓を前記相関信号で畳み込み、畳み込み信号を発生する；
サーチャー窓の期間、前記畳込み信号内のピークをサーチする、前記サーチャー窓は前記畳込み出力がしきい値に到達すると開始する；
同期ワードのタイミング整合を識別する、前記サーチャー窓の期間に前記畳込み信号内に単一のピークを発見したなら、前記単一ピークは前記タイミング整合を識別するために使用され、前記サーチャー窓の期間、前記畳込み信号内に複数のピークを発見したなら、前記複数のピークの最初の最大ピークと、前記複数のピークの最後の最大ピークとの間の時間が平均され、前記タイミング整合を識別する；および
前記同期ワードに応答して前記受信器を前記バイナリデータストリームに同期させ、前記バイナリデータストリームは前記同期ワードの後の所定の時刻にサンプルされる。
【請求項６】
前記同期ワードは、Bluetoothプロトコルに準拠するアクセスコードである、請求項５の方法。
【請求項７】
前記データストリームはBluetoothプロトコルに準拠するデータのパケットに組織化される、請求項５の方法。
【請求項８】
記号の極性を判定するために、前記オーバーサンプルされた信号にビット判定プロセスを実行することをさらに含む、請求項５の方法。
【請求項９】
前記ビット判定プロセスは前記オーバーサンプルされた信号の複数のオーバーサンプル上の過半数の票から構成される、請求項８の方法。
【請求項１０】
下記を具備する、アクセス符号から構成されるBluetooth準拠パケットに組織化されるバイナリデータストリームを受信するベースバンド部分を有するBluetooth準拠受信器：
前記バイナリデータストリームを所定のオーバーサンプルでオーバーサンプリングし、オーバーサンプルされた信号を発生する手段；
前記オーバーサンプルされたバイナリデータストリームを周知の同期ワードで相関し、相関信号を発生する手段；
線形フィルタのインパルス応答を相関信号で畳み込み、畳込み信号を発生する手段；
前記畳込み信号の最大値を識別することにより前記アクセス符号のタイミング整合を識別する、前記タイミング整合を識別する手段は、前記サーチャー窓の期間に前記畳込み信号内にピークをサーチし、前記サーチャー窓は、前記畳込み出力がしきい値に到達したら開始し、前記サーチャー窓の期間に、前記畳込み信号内に単一のピークが発見されたなら、前記信号ピークを用いて前記タイミング整合を識別し、前記サーチャー窓の期間、前記畳込み信号内に複数のピークを発見したなら、前記複数のピークの最初の最大ピークと、前記複数のピークの最後の最大ピークとの間の時間を平均し、前記タイミング整合を識別する；および
前記アクセス符号に応答して前記受信器を前記オーバーサンプルされた信号に同期させる手段、前記オーバーサンプルされた信号は前記同期ワードの後の所定の時刻においてサンプルされる。
【請求項１１】
通信能力を有する移動局装置において、前記装置はBluetoothに準拠した受信器を有し、アクセス符号から構成されるBluetooth準拠パケットに組織化されるバイナリデータストリームを受信するベースバンド部分を具備し、前記受信器は下記を具備する：
前記バイナリデータストリームを所定のオーバーサンプルレートでオーバーサンプリングし、オーバーサンプルされた信号を発生する手段；
前記オーバーサンプルされたバイナリデータストリームを周知の同期ワードで相関し、相関信号を発生する手段；
線形フィルタのインパルス応答を相関信号で畳込み、畳込み信号を発生する手段；
前記畳み込み信号内のピークを識別することにより前記アクセス符号のタイミング整合を識別する手段、前記タイミング整合を識別する手段は、前記サーチャー窓の期間に前記畳込み信号内にピークをサーチし、前記サーチャー窓は、前記畳込み出力がしきい値に到達したら開始し、前記サーチャー窓の期間に、前記畳込み信号内に単一のピークが発見されたなら、前記信号ピークを用いて前記タイミング整合を識別し、前記サーチャー窓の期間、前記畳込み信号内に複数のピークを発見したなら、前記複数のピークの最初の最大ピークと、前記複数のピークの最後の最大ピークとの間の時間を平均し、前記タイミング整合を識別する；
前記タイミング整合に応答して前記アクセス符号を識別する手段；および
前記アクセス符号に応答して前記受信器を前記オーバーサンプルされた信号に同期させる手段、前記オーバーサンプルされた信号は、前記同期ワードの後の所定時刻にサンプルされる。
【請求項１２】
前記移動局はBluetoothプロトコル互換能力を有する携帯電話である、請求項１１の装置。
【請求項１３】
前記移動局は、無線通信能力およびBluetoothプロトコル互換能力を有したパーソナルデジタルアシスタンスである、請求項１１の装置。
【請求項１４】
下記を具備する、所定のデータレートを有するバイナリデータストリームから記号を回復する方法：
前記バイナリデータストリームを所定のオーバーサンプルレートでオーバーサンプリングし、オーバーサンプルされた信号を発生する；
前記オーバーサンプルされたデータストリームを周知の同期ワードで相関し、相関信号を発生する；
移動平均窓を構築する；
前記移動平均窓に対するインパルス応答を発生する；
前記インパルス応答を前記相関信号で畳込み、畳込み信号を発生する；
サーチャー窓の期間前記畳み込み信号内のピークをサーチする、前記サーチャー窓は、前記畳み込み出力がしきい値に到達すると、開始する；
サーチャー窓の期間、前記畳込み信号内のピークをサーチする、前記サーチャー窓は前記畳込み出力がしきい値に到達すると開始する；および
同期ワードのタイミング整合を識別する、前記サーチャー窓の期間に前記畳込み信号内に単一のピークを発見したなら、前記単一ピークは前記タイミング整合を識別するために使用され、前記サーチャー窓の期間、前記畳込み信号内に複数のピークを発見したなら、前記複数のピークの最初の最大ピークと、前記複数のピークの最後の最大ピークとの間の時間が平均され、前記タイミング整合を識別する；
前記タイミング整合に応答して前記同期ワードを識別する；
前記同期ワードに応答して前記受信器を前記バイナリデータストリームに同期させる；および
前記同期ワードの後の所定時刻に前記オーバーサンプルされた信号をサンプリングする。
【請求項１５】
正しいビット状態を判定するために、前記オーバーサンプルされた信号の複数のオーバーサンプル上の過半数の票を実行する、請求項１４の方法。
【請求項１６】
前記相関信号が所定のしきい値に到達すると、前記同期ワードに対して前記オーバーサンプルされた信号をスキャンすることをさらに具備する、請求項１４の方法。
【請求項１７】
前記スキャンする工程は、さらに前記所定のしきい値が到達された後の所定の時間窓に対してスキャンすることをさらに具備する、請求項１６の方法。
【請求項１８】
前記相関信号のピークは、前記バイナリデータストリームを受信器と時間整合する、請求項１４の方法。
【請求項１９】
移動局装置において、前記装置は受信器を有し、データパケットに組織化されるオーバーサンプルされたバイナリデータストリームを受信するベースバンド部分を具備し、各データパケットは同期ワードを具備し、前記受信器は下記を具備する：
前記オーバーサンプルされたバイナリデータストリームを周知の同期ワードで相関し、相関信号を発生する手段；
移動平均窓を構築する手段；
前記移動平均窓を前記相関信号で畳込み、畳込み信号を発生する手段；
前記タイミング整合を識別する手段は、前記サーチャー窓の期間に前記畳込み信号内にピークをサーチし、前記サーチャー窓は、前記畳込み出力がしきい値に到達したら開始し、前記サーチャー窓の期間に、前記畳込み信号内に単一のピークが発見されたなら、前記信号ピークを用いて前記タイミング整合を識別し、前記サーチャー窓の期間、前記畳込み信号内に複数のピークを発見したなら、前記複数のピークの最初の最大ピークと、前記複数のピークの最後の最大ピークとの間の時間を平均し、前記タイミング整合を識別する；
前記タイミング整合に応答して前記同期ワードを識別する手段；および
前記アクセス符号に応答して、前記受信器を前記オーバーサンプルされたバイナリデータストリームに同期させる手段、前記オーバーサンプルされたバイナリーデータストリームは、前記同期ワードの後の所定時刻にサンプルされる。
【請求項２０】
下記を具備する、データレートを有するバイナリデータストリームから記号を回復する方法：
所定のオーバーサンプルレートで前記バイナリデータストリームをオーバーサンプリングし、オーバーサンプルされた信号を発生する；
前記オーバーサンプルされたバイナリデータストリームを周知の同期ワードと相関し、相関出力を作る；
移動平均窓を構築する；
前記移動平均窓を前記相関出力で畳込み、畳込み信号を発生する；
サーチャー窓の期間、前記畳込み信号内のピークをサーチする、前記サーチャー窓は前記畳込み出力がしきい値に到達すると開始する；および
同期ワードのタイミング整合を識別する、前記サーチャー窓の期間に前記畳込み信号内に単一のピークを発見したなら、前記単一ピークは前記タイミング整合を識別するために使用され、前記サーチャー窓の期間、前記畳込み信号内に複数のピークを発見したなら、前記複数のピークの最初の最大ピークと、前記複数のピークの最後の最大ピークとの間の時間が平均され、前記タイミング整合を識別する
【請求項２１】
下記を具備する、入ってくるオーバーサンプルされた硬判定バイナリストリームから記号を回復する方法：
先験的に周知な同期ワードと、前記バイナリストリーム内の記号のオーバーサンプルとの間の最良の整合情報を識別する；および
前記最良の整合情報から決定された各記号の関連するオーバーサンプルの過半数の票を用いて残りの記号をダウンサンプリングする。
【請求項２２】
前記バイナリストリームはBluetoothに従って構成されたパケットから構成される、請求項２１の方法。